Podtech/llm-jp-corpus-v4-ja_patent huggingface dataset:
(57)【要約】      （修正有）【課題】下肢を動かすことができる人は寝返りなどの体動がスムーズに行え、踵部・外踝部・内踝部の除圧を行い、両足部が重なった場合、両足部間の重なりによる圧迫を防ぐことができる低反発除圧ソックスを提供する。【解決手段】低反発チップ１を詰めた伸縮性生地製のパッド２をソックス３の中央部外周に踵部・外踝部・内踝部を包み込むように取り付ける。【選択図】図１
0003184199.tif 000002
【実用新案登録請求の範囲】
【請求項１】
低反発チップを詰めたパッドをソックスに設けた除圧ソックス
【考案の詳細な説明】
【技術分野】
【０００１】
この考案は、低反発チップを詰めたパッドを踵部・外踝部・内踝部を包み込むようにソックスに取り付けた低反発除圧ソックスに関するものである。
【背景技術】
【０００２】
従来、踵部・外踝部・内踝部を除圧するため、クッションを使用して踵部を浮かせたり、パッドで、踵部・外踝部・内踝部を覆いベルト固定や面ファスナー固定を行っていた。
【先行技術文献】
【特許文献】
【０００３】
【特許文献１】特開２００２−１０２２７５
【考案の概要】
【考案が解決しようとする課題】
【０００４】
踵部・外踝部・内踝部の褥瘡予防のため、クッションを使用し踵部を浮かせて除圧を行っていたが、下肢を動かせる人はクッションが外れてしまっていることが多かった。また、踵部の保護パッドは、下肢を動かせる人には寝返りなどの体動を阻むことがあった。  本考案は以上のようなことを改善するためのものである。
【課題を解決するための手段】
【０００５】
ソックス（３）に低反発チップ（１）を詰めたパッド（２）を、踵部・外踝部・内踝部を包み込むように取り付ける。  本考案は以上のような構成よりなる低反発除圧ソックスである。  
【考案の効果】
【０００６】
(イ)  ソックスと一体型になっているので着脱が簡単である
(ロ)  ソックス型のため寝返りなどの体動がスムーズに行える。
(ハ)  両足部が重なった場合、両足部間の重なりによる圧迫を防ぐことができる。
【図面の簡単な説明】
【０００７】
【図１】本考案の斜視図である。
【図２】本考案の断面図である。
【考案を実施するための形態】
【０００８】
低反発チップ（１）を詰めたパッド（２）をソックス（３）の中央部に設ける。ソックスを履くことにより装着する。
【符号の説明】
【０００９】
１  低反発チップ
２  低反発チップ入りパッド
３  ソックス
【図１】
0003184199.tif 000003
【図２】
0003184199.tif 000004
【手続補正書】
【提出日】平成25年4月9日(2013.4.9)
【手続補正１】
【補正対象書類名】実用新案登録請求の範囲
【補正対象項目名】全文
【補正方法】変更
【補正の内容】
【実用新案登録請求の範囲】
【請求項１】
低反発チップを詰めた伸縮性生地製のパッドを、伸縮性生地製
のソックス本体の中央部外周に縫製し取り付け、踵部・外踝部・内踝部を覆い、低反発
チップによる体圧分散効果による除圧を特徴とした除圧パッド付きソックス。
(57)【要約】      （修正有）【課題】ペットボトルの中の液体（飲料水）の特性（酸化還元電位等）を測定するためのペットボトルキャップ型酸化還元電位計（ＯＲＰテスター）を提供する。【解決手段】ペットボトルに装着することができ、キャップ内側から突出する測定センサー４を有し、測定センサーがペットボトル内の液体に接することで酸化還元電位を測定できることを特徴とし、さらにキャップ内側に、ペットボトル内の液体の温度やｐＨを測定するための測定センサーを備えたことを特徴とする。【選択図】図１
0003184193.tif 000002
【実用新案登録請求の範囲】
【請求項１】
ペットボトルに装着することによってペットボトルのキャップを外さずに、ペットボトル内の液体（飲用水）の酸化還元電位をいつでも直接測定することができるペットボトルキャップ型酸化還元電位計（ＯＲＰテスター）。
【請求項２】
ペットボトルに装着することによってペットボトルのキャップを外さずに、ペットボトル内の液体（飲用水）が少量であっても、ペットボトルを傾けることによって測定することができるペットボトルキャップ型酸化還元電位計（ＯＲＰテスター）。
【請求項３】
ペットボトルに装着することによってペットボトルのキャップを外さずに、測定目的が異なる測定センサーを選択または複数取り付けることによってペットボトル内の液体（飲用水）の温度やｐＨ（水素イオン指数）等を測定することができるペットボトルキャップ型酸化還元電位計（ＯＲＰテスター）。
【考案の詳細な説明】
【技術分野】
【０００１】本考案はペットボトルの中の液体（飲料水）の特性（酸化還元電位等）を測定するための測定器に関するものである。
【背景技術】
【０００２】飲料水の容器としてペットボトルが広く使用されている。通常ペットボトルの口部にはキャップが取り付けられて飲料水は内部に保持される。飲料水を飲用する際や、飲料水の特性（酸化還元電位計等）を測定する際にはキャップを外す必要がある。
【特許文献】
【０００３】特開平９−３２７４４３（公開日  平成９年（１９９７）１２月２２日）は操作・表示部を有する本体に酸化還元電位測定センサー（以後、測定センサー）を一体化したもので、人間、動物、植物、水、空気、土等の酸化還元電位を測定し、活性酸素の状態を知徳して健康を管理するための「酸化還元電位測定機能内蔵健康管理計」に関するものである。
【非特許文献】
【カタログ】
【０００４】酸化還元電位計
（１）酸化還元電位計ＯＲＰ−２０３ＡＤＢ／株式会社佐藤商事
ｈｔｔｐ：／／ｗｗｗ．ｕｒｅｒｕｚｏ．ｃｏｍ／ｐｄｆ−ｗａｔｅｒ／ＯＲＰ−２０３ＡＤＶ．ｐｄｆ
（２）酸化還元電位計（ＯＲＰメータ）ＹＫ−２３ＲＰ−ＡＤＶ／株式会社佐藤商事
ｈｔｔｐ：／／ｗｗｗ．ｕｒｅｒｕｚｏ．ｃｏｍ／ｐｄｆ−ｗａｔｅｒ／ＹＫ−２３ＲＰ−ＡＤＶ．ｐｄｆ
（３）酸化還元電位計（ＯＲＰ計）ＯＲＰ−Ｔｅｓｔｒ  １０／株式会社  エムケー・サイエンティフィック
ｈｔｔｐ：／／ｗｗｗ．ｍｋｓｃｉ．ｃｏｍ／ｗｔ／ｗｐ．ｈｔｍｌ
（４）酸化還元電位計ＰＨ−６／株式会社  エムケー・サイエンティフィック
ｈｔｔｐ：／／ｗｗｗ．ｍｋｓｃｉ．ｃｏｍ／ｗｔ／ｏｒｐ６．ｈｔｍｌ
【考案の概要】
【考案が解決しようとする課題】
【０００５】従来の酸化還元電位計（ＯＲＰテスター）で測定センサーと操作・表示本体とをケーブルで接続するものはケーブルの取扱いが煩雑であり、測定センサーと操作・表示本体が一体化されているものは測定センサーの形状が大きすぎるためペットボトルの口には入らず、直接ペットボトル内の液体を測定することができないという問題がある。また、特開平９−３２７４４３による「酸化還元電位測定機能内蔵健康管理計」も測定する際にはペットボトルのキャップを外して測定する必要があるため、ペットボトル内の液体（飲料水）をこぼしてしまう危険性がある。
【課題を解決するための手段】
【０００６】酸化還元電位計（ＯＲＰテスター）をペットボトルのキャップ型にすることで、ペットボトルのキャップを外さずに、ペットボトル内の液体（飲用水）を直接測定できる。ペットボトルキャップ型酸化還元電位計（ＯＲＰテスター）はそのままペットボトルに装着して持ち歩くことができるので、いつでも手軽に測定することができる。ペットボトルのキャップの形状は飲料水メーカーの違いを問わず同一であるためこのペットボトルキャップ型酸化還元電位計（ＯＲＰテスター）は多くのペットボトルに装着することが可能である。
【考案の効果】
【０００７】酸化還元電位が低い液体を飲むことが健康に良いとされているが、ペットボトル内の液体の酸化還元電位は常に変化するため、常に酸化還元電位を測定する必要がある。そこで、ペットボトルのキャップと一体化したペットボトルキャップ型酸化還元電位計（ＯＲＰテスター）はペットボトル内の液体（飲用水）の酸化還元電位をいつでも手軽に測定し目で確認することができるため、多くの人の健康向上に役立つ効果が期待される。
【図面の簡単な説明】
【０００８】
【図１】各部の名称
【図２】測定方法
【考案を実施するための形態】
【０００９】各部の名称を図１に示す。測定方法を図２に示す。液体（飲用水）７を入れたペットボトル６にペットボトルキャップ型酸化還元電位計（ＯＲＰテスター）８を装着する。ペットボトル６を傾け、センサー４に液体（水）７が接触したら、スイッチ１をＯＮにする。
センサー４で感知した信号を回路基板５で変換して表示部２に表示される値を測定者９が読み取り測定する。バッテリー３は表示部２、測定センサー４、回路基板５に電力を供給する。
【実施例】
【００１０】ペットボトル内に飲用水とマグネシウムを入れると反応（Ｍｇ＋２Ｈ２Ｏ→Ｈ２＋Ｍｇ（ＯＨ）２）して水素が発生し酸化還元電位が変化する。この酸化還元電位の変化をペットボトルのキャップを外すことなくいつでも瞬時に測定することが可能となる。
【産業上の利用可能性】
【００１１】飲用水メーカーの工場でペットボトルに充填され、すぐにペットボトルにペットボトルキャップ型酸化還元電位計（ＯＲＰテスター）を装着された飲用水は、外気に触れることなく（外気の影響を受けずに）酸化還元電位の変化を継続して測定することができる。
【符号の説明】
【００１２】１スイッチ
２表示部
３バッテリー
４測定センサー
５回路基板
６ペットボトル
７液体（飲用水）
８ペットボトルキャップ型酸化還元電位計（ＯＲＰテスター）
９測定者
【図１】
0003184193.tif 000003
【図２】
0003184193.tif 000004
【手続補正書】
【提出日】平成25年3月21日(2013.3.21)
【手続補正１】
【補正対象書類名】実用新案登録請求の範囲
【補正対象項目名】全文
【補正方法】変更
【補正の内容】
【実用新案登録請求の範囲】
【請求項１】
ペットボトルに装着することができるペットボトルキャップ型酸化還元電位計であって、キャップ内側から突出する測定センサーを有し、前記測定センサーがペットボトル内の液体に接することで酸化還元電位を測定できることを特徴とするペットボトル型酸化還元電位計。
【請求項２】
前記キャップ内側に、前記ペットボトル内の液体の温度やｐＨを測定するための測定センサーをさらに備えたことを特徴とする請求項１に記載のペットボトルキャップ型酸化還元電位計。
(57)【要約】      （修正有）【課題】料理中に菜箸や包丁を一時的に置いておく菜箸包丁受けを提供する。【解決手段】王冠の形をした８つの突起の菜箸包丁受けで、対角にある二つのくぼみに差し込むようにして、包丁や菜箸をのせる。包丁や菜箸が水平になり、空中に浮き、直に調理台にふれず、衛生的である。包丁と菜箸が同時における点でも利便性が高い。【選択図】図１
0003184191.tif 000002
【実用新案登録請求の範囲】
【請求項１】
王冠の形をした菜箸・包丁受け
【考案の詳細な説明】
【技術分野】
【０００１】
本考案は、料理中の菜箸や包丁の一時的な置き場所に関するものである。
【背景技術】
【０００２】
料理中に使った菜箸や包丁をおいて別の作業をするときに、それらを一時的における場所がない。そのまま調理台においたのでは、不衛生である。
【先行技術文献】
【特許文献】
【０００３】
【特許文献１】特になし
【非特許文献】
【０００４】
【非特許文献１】特許電子図書館にて類似の実用新案を検索。目的が同じもので、同形状のものでは、一例もありませんでした
【考案の概要】
【考案が解決しようとする課題】
【０００５】
料理中に菜箸や包丁をおいて別の作業をするときに、使用中の箸や、包丁を一時的に置いておく場合がない。そのまま直に調理台におくのは不衛生。
【課題を解決するための手段】
【０００６】
そこで王冠の形をした8つの突起のある菜箸・包丁受けを考案した。このくぼみのうち対角の2点をつかって、包丁や菜箸をはさむようにのせる。
【考案の効果】
【０００７】
くぼみ2点でささえるので、包丁や菜箸が水平になり、空中に浮く。調理台に直にふれることなく、衛生的、突起の数は8つあるので、２点で包丁ともうあと２点で菜箸が同時における点でも利便性が高い。
【図面の簡単な説明】
【０００８】
【図１】図１は王冠のかたちをした箸置き、菜箸受けの形状写真である。
【図１】
0003184191.tif 000003
【手続補正書】
【提出日】平成25年4月2日(2013.4.2)
【手続補正１】
【補正対象書類名】実用新案登録請求の範囲
【補正対象項目名】全文
【補正方法】変更
【補正の内容】
【実用新案登録請求の範囲】
【請求項１】
複数の突起と複数のくぼみとをそなえた菜箸包丁受け
(57)【要約】      （修正有）【課題】積雪した雪を効率的に融雪することができる移動式融雪機を提供する。【解決手段】融雪機の前面に開口する開口部を有するフード２と、前部フードの後方に設けられた燃焼室と、フードと燃焼室との中間に設けられた鉄格子状のグレーチング３と、燃焼室の後部に設けられたバーナー４を有する機械室と、を備えたことを特徴とし、さらにグレーチングを雪質などにより格子の大きさを変更しした物と取替えることが出来、降雪の積もり具合によってフードの高さを変更可能としたことを特徴とする。【選択図】図１
0003184196.tif 000002
【実用新案登録請求の範囲】
【請求項１】
雪を取り込むためのフードと燃焼室の中間に鉄格子状のグレーチングを取り付けその奥にバーナー等の機械室を設けたことを特徴とする融雪機。
【請求項２】
グレーチングは雪質により格子の大きさや太さ形を変え取替え可能とし又フードの高さ、角度を変えることが出来る。
【考案の詳細な説明】
【技術分野】
【０００１】本発明は融雪機に関するものである。
【背景技術】
【０００２】従来、融雪機上部から融雪槽に雪を投入し、下からバーナーで融かす方式の物が多い。
【先行技術文献】
【特許文献】
【０００３】
【特許文献１】特開２００４−２３２２７１
【特許文献２】特開２００５−２７３３５２
【考案の概要】
【考案が解決しようとする課題】
【０００４】従来の融雪機は上からスコップなどで雪を何度も投入しなければいけないため大変な労力を必要とする。本考案は上からではなく本体を押しながら前のフードから雪を取り込みグレーチングが雪を受け止めバーナーで融雪していく。そのため本体を押すだけで雪を融かすことができる。又除雪した雪を山積みにしなくてすむから駐車場などを最大限利用できる。
【課題を解決するための手段】
【０００５】融雪機開口部とバーナーとの中間にステンレス製などの錆びにくいグレーチングを路面に対し垂直に取り付け雪がバーナーのノズルを塞がない様にしてバーナーの火力でグレーチングを熱し雪を融かしながら進むことが出来る。
【考案の効果】グレーチングを中間に置くことにより本体前方開口部からの雪をグレーチングが受け止めバーナーノズルを雪が塞がないようにでき連続的に融雪することができる。
【図面の簡単な説明】
【０００７】
【図１】融雪機の側面図
【図２】融雪機の正面図
【考案を実施するための形態】
【０００８】雪を取り込むための前面フード開口部と灯油バーナーやガスバーナーによる燃焼室を設けその中間に錆びにくく丈夫なグレーチングを取り付ける。本体後部にはバーナーと燃料タンク、小型の発電機または蓄電池を取り付けた機械室、下部には移動させるために車輪と融雪機後部には本体を押して移動させるためのハンドルを取り付ける。
【実施例】
【０００９】以下、本装置の実施形態を図面に基づいて説明する。【００１０】図に示す融雪機は移動式で雪を取り込む前方フード部とその後方に燃焼室を設け間にグレーチングを挟む一番後部にはバーナーを作動させるための燃料タンク、小型発電機などを置く機械室を設ける。【００１１】融雪したい場所へ本体を移動、発電機を回してバーナー作動スイッチを入れ点火させる。押しながら前面開口部より入ってきた雪をグレーチングが受け止めバーナーの熱で融かしてゆく。【００１２】フード部分及び燃焼室の底には複数の穴があり融けた雪が流れ出る。
【産業上の利用可能性】
【００１３】この融雪装置を大型化し除雪車前方に取り付ければ道路の消雪に使える。これまでは除雪車で押しのけた雪は路肩に山積みにされ道幅が狭くなり車の通行が不便で危険だ。また商店街にとっては山積みになった雪を再度除雪しなければいけないし大変容易ではなかった。
【符号の説明】
【００１４】１・・・・・融雪口
２・・・・・フード
３・・・・・グレーチング
４・・・・・バーナー
５・・・・・燃料タンク
６・・・・・ハンドル
７・・・・・車輪
８・・・・・発電機（又は蓄電池）
【図１】
0003184196.tif 000003
【図２】
0003184196.tif 000004
【手続補正書】
【提出日】平成25年3月18日(2013.3.18)
【手続補正１】
【補正対象書類名】実用新案登録請求の範囲
【補正対象項目名】全文
【補正方法】変更
【補正の内容】
【実用新案登録請求の範囲】
【請求項１】
融雪機の前面に開口する開口部を有するフードと、前部フードの後方に設けられた燃焼室と、前記フードと前記燃焼室との中間に設けられた鉄格子状のグレーチングと、前記燃焼室の後部に設けられたバーナーを有する機械室と、を備えたことを特徴とする移動式融雪機。
【請求項２】
前記グレーチングを雪質などにより格子の大きさを変更しした物と取替えることが出来、降雪の積もり具合によって前記フードの高さを変更可能としたことを特徴とする請求項１記載の移動式融雪機。
(57)【要約】      （修正有）【課題】金属アレルギーを引き起こさず、リフトアップ効果を有し、装飾効果を有する耳殻刺激具を提供する。【解決手段】耳殻に存在する神経を刺激するための円柱体２と、該円柱体２を耳殻に貼着するためのシール部材３とにより構成し、円柱体をサージカルステンレスにより構成した。また、シール部材をサージカルテープを用いて構成し、円柱体２上部に装飾体を設けて構成した。【選択図】図１
0003184124.tif 000002
【実用新案登録請求の範囲】
【請求項１】
耳殻に存在する神経を刺激するための円柱体と、該円柱体を耳殻に貼着するためのシール部材とにより成る耳殻刺激具。
【請求項２】
円柱体をサージカルステンレスより構成した請求項１記載の耳殻刺激具。
【請求項３】
シール部材がサージカルテープである請求項１又は請求項２に記載の耳殻刺激具。
【請求項４】
円柱体上部に装飾体が設けられていることを特徴とする請求項１乃至請求項３いずれかに記載の耳殻刺激具。
【考案の詳細な説明】
【技術分野】
【０００１】
本考案は耳殻を刺激することで、美容効果を高める耳殻刺激具に関する。
【背景技術】
【０００２】
チタンの粒体を、耳殻に存在するツボに該当する部位に貼着することで、ダイエット効果を得ることを目的とする耳つぼジュエリーと呼ばれる刺激具が存在する。
【０００３】
特許文献１には、リング形状であり、一方端部に耳つぼを刺激するための突起部を有するダイエット用イヤリングが開示されている。
【０００４】
特許文献２には、弾性リング体の両端部に、耳のつぼを挟持するトルマリン含有突起体を設けた、耳つぼ刺激具が開示されている。
【先行技術文献】
【特許文献】
【０００５】
【特許文献１】登録実用新案公報第３１２６１７９号
【特許文献２】登録実用新案公報第３０７４７６４号
【考案の概要】
【考案が解決しようとする課題】
【０００６】
上記耳つぼジュエリーと呼ばれる耳つぼ刺激具は、主にチタンの粒体を使用するものである。しかし、チタンや鉄、ニッケルなどは人体との長時間の接触によってかぶれやかゆみを生じることがあり、特に金属アレルギー体質の人にあってはその症状が著しい。
【０００７】
そこで本考案はかかる金属アレルギーを引き起こさない耳殻刺激具を提供することを目的とする。
【０００８】
また、従来の耳つぼジュエリーは主にダイエット効果を有するのみであったが、本考案は顔のリフトアップ効果を引き出すことを目的とする。
【０００９】
更には、ピアス同様の装飾効果を有する耳殻刺激具を提供することを目的とする。
【課題を解決するための手段】
【００１０】
上記の目的を達成する本考案の構成は次の通りである。
【００１１】
（１）  請求項１に記載の考案は、耳殻に存在する神経を刺激するための円柱体と、該円柱体を耳殻に貼着するためのシール部材とにより構成した。
【００１２】
（２）  請求項２に記載の考案は、請求項１記載の耳殻刺激具において、円柱体をサージカルステンレスにより構成した。
【００１３】
（３）  請求項３に記載の考案は、請求項１又は請求項２に記載の耳殻刺激具において、シール部材をサージカルテープを用いて構成した。
【００１４】
（４）  請求項４に記載の考案は、請求項１乃至請求項３いずれかに記載の耳殻刺激具において、円柱体上部に装飾体を設けて構成した。
【考案の効果】
【００１５】
上記のように構成される本考案が、如何に作用して課題を解決するかを概説する。
【００１６】
本考案においては耳殻に直接触れる円柱体を、サージカルステンレスにより構成している。サージカルステンレスは医療用に開発された低アレルギー性金属であり、係る素材を用いることで金属アレルギーを可及的に引き起こさない耳殻刺激具の提供が可能となるのである。
【００１７】
更には、円柱体を耳殻に貼着するためのシール部材を、医療用に用いられ、低アレルギー性素材であるサージカルテープを用いて構成していることから、より一層アレルギーを抑制することが可能となる。
【００１８】
また、本考案によれば耳殻に存在する神経を刺激することが可能となり、三叉神経が反応し、つまりは眼神経、上顎神経、下顎神経が刺激を受け、結果的に表情筋が引締まりリフトアップ効果が生じるものである。具体的には図３に示される耳たぶのＡの部位に本考案に係る耳殻刺激具を貼着すれば、目のむくみやたるみを除去することが可能となり、Ｂの部位に貼着すれば頬を引締め、リフトアップ効果が生じるものである。なお、図３は左の耳たぶを表しているが、右の耳たぶにおける同一位置においても、同様の効果が生じるものである。
【００１９】
更には、血行が良くなり、老廃物がリンパに流れるため顔のむくみが取れ、小顔に見えるという効果も有する。
【００２０】
請求項４記載の耳殻刺激具においては、円柱体上部に装飾部を設けることで、着用時に耳たぶにアクセサリー状の装飾物が存することになり、つまりはピアス同様の装飾効果を得ることが可能となるのである。
【図面の簡単な説明】
【００２１】
【図１】請求項１乃至３いずれかの考案の説明図
【図２】請求項４記載の考案の説明図
【図３】本考案を貼着する耳たぶの部位を示す説明図
【考案を実施するための形態】
【００２２】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２３】
本考案は円柱体、シール部材及び装飾体より成るものである。
【００２４】
円柱体２は、概ね直径１．５ｍｍ、高さ０．７ｍｍ程度の円柱形状を呈する部材であり、縁部は面取りがしてある。素材は、Fe-Cr-Ni合金の一種であるオーステナイト系ステンレス鋼、例えば、SUS304や、SUS316L（いわゆるサージカルステンレス）を用いてある。
【００２５】
シール部材３は略円形のフィルム状の基材と、前記基材の一方の面に配設される粘着層とを備えて成るものであり、低アレルギー性であり医療用に用いられるサージカルテープが好ましい。具体的には、フィルム状の基材としては、不織布や多孔質フィルムなどが使用可能であり、粘着層としては、ゴム系粘着剤やアクリル系粘着剤に粘着付与剤と可塑剤を含む組成物等が使用可能である。
【００２６】
装飾物４としては、ダイヤカットを施したガラス体や、その他アクセサリーとして利用可能な粒体を使用可能である。
【００２７】
図１は請求項１乃至３いずれかに記載の考案を示すものである。図１Ａに示すように、シール部材３の粘着層を付与した下面に円柱体１を取付て、図１Ｂに示す耳殻刺激具１を構成するものである。
【００２８】
図２は請求項４記載の考案を示すものである。図２Ａ、Ｂに示すように、シール部材３の中央において、シール部材３の下面から円柱体２を、シール部材３の上面から装飾物４を、シール部材３を挟持する形態で円柱体２の上面に装飾物４取付け、耳殻刺激具１を構成するものである。
【符号の説明】
【００２９】
１・・耳殻刺激具
２・・円柱体
３・・シール部材
４・・装飾物
【図１】
0003184124.tif 000003
【図２】
0003184124.tif 000004
【図３】
0003184124.tif 000005
(57)【要約】      （修正有）【課題】穴付きつばの帽子を提供する。【解決手段】帽子本体２と、一つ又は複数の髪の毛を通す穴４をあけたつば３を備え、髪の毛を通す穴４に髪の毛を下部から上部に通せるようにしたことを特徴とする。穴４に髪の毛を通すと、髪の毛の後方が固定され、風が吹いても邪魔にならない。【選択図】図１
0003184122.tif 000002
【実用新案登録請求の範囲】
【請求項１】
帽子本体２と、一つ又は複数の髪の毛を通す穴４をあけたつば３を備え、髪の毛を通す穴４に髪の毛を下部から上部に通せるようにしたことを特徴とする穴付きつばの帽子。
【考案の詳細な説明】
【技術分野】
【０００１】
本考察は、穴のついたつばの帽子に関する。
【背景技術】
【０００２】
従来の帽子において、帽子の頭に密着する部分から外に向かって広がり、日差し除けとなるつばには、髪の毛を通す穴がなかった。
【考案の概要】
【考案が解決しようとする課題】
【０００３】
髪の毛が長い人で帽子のつばの部分を頭の後頭部側に取り付けた際は、髪の毛を下向けにしたり、帽子のつばの下あたりで髪の毛を括るしかなかった。
【課題を解決するための手段】
【０００４】
帽子本体２と、一つ又は複数の髪の毛を通す穴４をあけたつば３を備え、髪の毛を通す穴４に髪の毛を下部から上部に通せるようにしたことを特徴とする穴付きつばの帽子である。
【考案の効果】
【０００５】
本考案は次のような効果がある。
１）つばを頭の後頭部側に取り付けた時に髪の毛を穴の下部から上部に通すことができ、髪の毛が邪魔にならないようにできる。
２）穴に通した髪の毛を穴より大きめに結ぶ、または穴に引っかかるように括れば、風などで帽子が簡単には、飛んで行かないようにできる。
３）つばの穴をフックや色んな物に引っ掛けることができる。
【図面の簡単な説明】
【０００６】
【図１】本考案の穴付きつばの帽子の構成図（ａ）一つ穴付つばの帽子  （ｂ）二つ穴付つばの帽子  （ｃ）一つ穴付つばのハット
【図２】本考案の穴付きつばの帽子の使用図
【考案を実施するための形態】
【０００７】
以下、図面に記載の考案の実施の形態に基づいて、この考案をより具体的に説明する。図１は、本考案の穴付きつばの帽子の構成図、図２は本考案の穴付きつばの帽子の使用図である。
【０００８】
穴付きつばの帽子１は、帽子本体２と、１つ又は複数の髪の毛を通す穴４を有するつば３からなる。
【０００９】
図２は、本考案の穴付きつばの帽子の使用図を示す。図１の帽子本体２のつば３を後頭部側に来るように冠り、髪の毛を通す穴４に髪の毛を通すと、図２のように穴に通した髪の毛６になり、髪の毛の後方に固定され、風が吹いても邪魔にならない。
【符号の説明】
【００１０】
１  穴付きつばの帽子
２  帽子本体
３  つば
４  髪の毛を通す穴
５  顔
６  穴に通した髪の毛
【図１】
0003184122.tif 000003
【図２】
0003184122.tif 000004
(57)【要約】      （修正有）【課題】指先腹部が網目状素材であるために滑り難く、かつ指先の感触を高められ、指先を使った作業が容易にでき、かつはめたままで作業ができるため、その都度外す必要がない手袋を提供する。【解決手段】五指全ての指先の腹部が接触する部分のみを他の部分と異なる網目状素材とし、同じ部分に穴をあけた手袋本体１に接合して形成してなる手袋。【選択図】図１
0003184112.tif 000002
【実用新案登録請求の範囲】
【請求項１】
五指全ての指先の腹部が接触する部分のみを他の部分と異なる網目状
素材とし、同じ部分に穴をあけた手袋本体に接合して形成してなる手袋。
【考案の詳細な説明】
【技術分野】
【０００１】
本考案は、はめたままで、指先を使った作業の容易化を図った手袋に関する。
【背景技術】
【０００２】
従来の手袋には、指先部を着脱可能にし、細かい作業時には裸出しした指を使い、作  業を容易にしたものがある。（例えば  特開平１１−２４７００９号など）
また、あらかじめ切断してあり、手の感触を高めたものがある。（例えば  実用新案  出願２００２−６７８２など）
【０００３】
以下、図２により従来の手袋について説明する。図において、指先部の保護カバー体  は着脱可能であり、外した状態では指を裸出できる。
【０００４】
２は指先部のほぼカバー体で、本体１に対し着脱可能とされている。
【先行技術文献】
【特許文献】
【０００５】
【特許文献１】特開平１１−２４７００９号
【考案の概要】
【考案が解決しようとする課題】
【０００６】
以上に述べた従来の手袋では、指先を裸出した状態での作業中に、手袋本体が指に対  してずれるという問題があった。
【０００７】
本考案は、このような従来の手袋が有していた問題を解決しようとするものであり、  指先を使った細かい作業時のずれ防止を実現することを目的とするものである。
【課題を解決するための手段】
【０００８】
本考案は上記目的を達成するために、指を完全に裸出することがないように網目状の  指先腹部を手袋本体に接合して取り付けたものである。
【０００９】
上記の課題解決手段による作用は次の通りである。すなわち、はめたままでも指先腹  部が網目状素材であるために滑り難く、かつ指先の感触を高められ、指先を使った作業  が容易にでき、かつはめたままで作業ができるため、その都度手袋を外す必要がなくな  る。
【考案の効果】
【００１０】
上述したように本考案の手袋は、指の腹部を網目状素材とするとともに、手袋本体と  接合することにより、はめたまま指先を使った細かい作業のできる手袋を提供できる。
【図面の簡単な説明】
【００１１】
【図１】本考案の実施形態を示す手袋の外観図
【図２】従来の手袋の外観図
【考案を実施するための形態】
【００１２】
以下、本考案の実施の形態を図１に基づいて説明する。
【００１３】
図において、１は手袋本体で、指先腹部２とにより構成されており、互いに接合され  ている。
【００１４】
２の指先腹部は網目状素材で作られており、指先腹部に穴のあいた手袋本体１に縫合  や接着などにより接合されている。
【００１５】
以下、上記構成の動作を説明する。手袋本体１をはめたまま指先を使った作業を行う  とき、指先部が網目状であるため、滑り難く、かつ感触を確認できるという効果を発揮  する。そのため手袋をはめたままで、指先を使った作業をすることができる。
なお、この手袋は作業専用の、いわゆる軍手に限定されるものでなく、一般的に用い  られている防寒用やおしゃれ用手袋にも適用できる。
【符号の説明】
【００１６】
１  手袋本体
２  指先腹部
【図１】
0003184112.tif 000003
【図２】
0003184112.tif 000004
(57)【要約】      （修正有）【課題】肌着が食い込まないズボンや衣類のジッパーを提供する。【解決手段】ジッパーは磁石からなる押し込み部１と受け部２を備える。押し込み部１に首１Ａを設け、首１Ａを受けるための首受止２Ａを受け部２に設ける。押し込み部１と受け部２とが磁力で引き合うことにより肌着が食い込まない。【選択図】図１
0003184499.tif 000002
【実用新案登録請求の範囲】
ズボンとか衣類のジッパー部が磁石。
【考案の詳細な説明】
【考案の詳細な説明】
この考案は、交通誘導員をしている時、ある日その場所からトイレが遠く、しかもその日は交通量も多くなかなか休めず一段落した時、トイレに駆け込んでズボンのチャックを下げた時に思いがけないことが起こった。チャックに肌着がくいこんだ。それでくいこまない方法はないものかと考えた。現在のチャックは、両方で挟み込む様な感じで、挟み込むものを磁石でひっつけたらいいのではないかと思った。その方法は、片方を押し込み部とし、片方を受け部とする。片方の受け部には止部をつくる。
【図１】
0003184499.tif 000003
【手続補正書】
【提出日】平成25年4月3日(2013.4.3)
【手続補正１】
【補正対象書類名】実用新案登録請求の範囲
【補正対象項目名】全文
【補正方法】変更
【補正の内容】
【実用新案登録請求の範囲】
【請求項１】
衣類のジッパーであって、前記ジッパーは、押し込み部と受け部とを備え、前記押し込み部に首部を、前記受け部に首受止部を設け、前記押し込み部と前記受け部とが磁石からなることを特徴とするジッパー。
【手続補正２】
【補正対象書類名】明細書
【補正対象項目名】全文
【補正方法】変更
【補正の内容】
【考案の詳細な説明】
【技術分野】
【０００１】本考案はジッパーに関するものである。
【背景技術】
【０００２】従来のズボンや衣類のジッパーには、両方で挟み込むように構成されているものがある。
【考案の概要】
【考案が解決しようとする課題】
【０００３】前記のジッパーを使用したズボンを穿いている際、小便をしようとジッパーを下げた時にジッパーに肌着が食い込むことがある。肌着が食い込まないズボンや衣類のジッパーを提供することが課題である。
【課題を解決するための手段】
【０００４】前記課題を解決するために、本考案のジッパーは以下の特徴を有する。すなわち、押し込み部と受け部とを備え、前記押し込み部に首部を、前記受け部に首受止部を設け、前記押し込み部と前記受け部とが磁石からなることである。
【考案の効果】
【０００５】押し込み部と受け部とが磁力で引き合うことにより肌着が食い込まない。
【図面の簡単な説明】
【０００６】
【図１】本考案のジッパーの押し込み部及び受け部の構造を示した図である。
【考案を実施するための形態】
【０００７】本考案に係るジッパーを図１により説明する。ジッパーは磁石からなる押し込み部１と受け部２を備える。押し込み部１に首１Ａを設け、首１Ａを受けるための首受止２Ａを受け部２に設ける。
【符号の説明】
【０００８】１  押し込み部
１Ａ  首
２  受け部
２Ａ  首受止
【手続補正４】
【補正対象書類名】図面
【補正対象項目名】全図
【補正方法】変更
【補正の内容】
【図１】
0003184499.tif 000004
(57)【要約】      （修正有）【課題】夕暮れ時・夜間に歩行者や運転者に共通の視覚、視認性を高め、素早く察知できる夜光反射式安全ミラー提供する。【解決手段】取付ミラーの鏡部２の反対側に、夜光蛍光性の塗料をコーティング、又は反射板・反射シール等を使ったデザイン１を配設した。【選択図】図１
0003184496.tif 000002
【実用新案登録請求の範囲】
【請求項１】
夜光反射デザイン部１と鏡部２からなる夜光反射式安全ミラーにおいて、夜光反射デザイン部１に配する夜光蛍光性の塗料をコーティング・反射板・反射シール等を用いてデザインした複合体の夜光反射式安全ミラー。
【考案の詳細な説明】
【技術分野】
【０００１】  本考案は、夜光反射式安全ミラーに関する。
【背景技術】
【０００２】  従来の車両機械・乗物等への取付ミラーは、鏡面の反対側には、平面より凸凹面の構造が多様化してあった。
【考案の概要】
【考案が解決しようとする課題】
【０００３】  しかしながら、従来の取付ミラーは、鏡面の視覚のみを感知するだけのものであった。
【課題を解決するための手段】
【０００４】  本考案は、従来の取付ミラーにおいて、その形状はさまざまであるが、鏡部２の反対側に夜光蛍光性の塗料をコーティング、又は反射板反射シール等を用いて一部又は全体に自由にデザインした複合体のものである。
【考案の効果】
【０００５】  本考案に係る夜光反射式安全ミラーは、夕暮れ時・夜間、歩行者、運転者に共通の視覚視認性を高め、車両等の位置確認を容易に素早く周知させることができる。これによって、走行中でも駐停車時においても安全サインとなり、危険を予測、予知し、交通事故防止、安全対策が期待できる。
【図面の簡単な説明】
【０００６】
【図１】本考案に係る夜光反射式安全ミラーの側面図である。
【図２】本考案に係る夜光反射式安全ミラーの取付位置図である。
【考案を実施するための形態】
【０００７】  図１に示すように、従来の取付ミラーは、多様であるが、鏡部２の反対側に夜光反射デザイン部１を設け、その構造をふまえ自由にデザインする。その際基盤の材質によってコーティング・反射板、反射シール等を考慮し、調整、固着する。本考案は、以上のような構成と、これを装着することにより容易に目じるしとなり、交通の事故防止に役立てようとするものである。
【０００８】  また車両、機械・乗物等は構造上多種であるが、それによって各所に取り付けることも可能である。
【符号の説明】
【０００９】  １  夜光反射デザイン部
２  鏡部
３  取付ミラー
【図１】
0003184496.tif 000003
【図２】
0003184496.tif 000004
【手続補正書】
【提出日】平成25年4月5日(2013.4.5)
【手続補正１】
【補正対象書類名】実用新案登録請求の範囲
【補正対象項目名】全文
【補正方法】変更
【補正の内容】
【実用新案登録請求の範囲】
【請求項１】
鏡部２と、鏡部２の反対側に夜光反射デザイン部１を備えた夜光反射式安全ミラーにおいて夜光反射デザイン部１に配する夜光蛍光性のコーティング、反射板、反射シールのいずれかを用いてデザインした複合体の夜光反射式安全ミラー。
(57)【要約】      （修正有）【課題】支線クランプの中心を通って張られている支線の右側にハンマーを通し、右側のある距離から、支線クランプのスリーブにハンマーの慣性打撃を加えて張力を解除する支線クランプユニットを提供する。【解決手段】アンテナ支柱２１から支線２２を地中に打ち込まれた支線くい２４まで支線を張る。支線くい２４からクランプ固定具２３に連結された支線クランプ１ハンマー２に支線２２を通して矢印方向に引いて支線２２に張力を与える。張力を解除するときは、支線クランプ１のスリーブに対してある距離から矢印方向にハンマーで慣性打撃を与え張力を解除する。【選択図】図９
0003184494.tif 000002
【実用新案登録請求の範囲】
【請求項１】
複数本の円柱を互いに嵌合して結合、昇降機で上昇させて、真直になるよう複数本の支線クランプで張力を与え、保持される。
本考案は、その保持された張力を、解除容易な支線クランプとハンマーの組み合わせを特徴とする支線クランプユニット。
【請求項２】
請求項１のハンマーを着脱可能なものにした組み合わせを特徴とする支線クランプユニット。
【考案の詳細な説明】
【技術分野】
【０００１】この考案は、昇降機で上昇させたアンテナ支柱などの支線の設置、支線張力保持クランプの解除に関するものである。
【背景技術】
【０００２】アンテナ支柱は、横風の風圧、アンテナなどの積載物の重量などのため曲がりを生ずる。真直にするためには、支柱を中心としてその周りに複数本の支線で張力を与えることが必要である。
【考案の概要】
【考案が解決しようとする課題】
【０００３】支線の張力解除には、支線クランプの張着が強いため張力を解除するとき、人の手作業で力を要し解除作業が困難であった。
【課題を解決するための手段】
【０００４】本考案は、支線クランプの中心を通って張られている支線の右側にハンマーを通し、右側のある距離から、支線クランプのスリーブにハンマーの慣性打撃を加えて張力を解除する。
【考案の効果】
【０００５】支線クランプのスリーブに、ハンマーで慣性打撃を加えることにより、支線の張力を容易に解除できる。
【図面の簡単な説明】
【０００６】
【図１】支線クランプ正面図
【図２】ハンマー正面図
【図３】図２のＡ−Ａ断面図
【図４】着脱可能なハンマー正面図
【図５】着脱可能なハンマーのＡ−Ａ断面図
【図６】図５の６を９０度回転したＡ−Ａ断面図
【図７】支線クランプとハンマーの組合せ図
【図８】支線クランプと着脱可能ハンマーの組合せ図
【図９】支線クランプとハンマー実施図
【考案を実施するための形態】
【０００７】本考案の実施ついて説明する。図１は支線クランプの正面図である。
図４はハンマーの正面図を示す。本考案の実施について図７、図８図９に示す。アンテナ支柱（２１）から支線（２２）を地中に打ち込まれた支線くい（２４）まで支線を張る。支線くい（２４）からクランプ固定具（２３）に連結された支線クランプ（１）ハンマー（２）に支線（２２）を通して矢印方向に引いて支線（２２）に張力を与える。
【０００８】張力を解除するときは、支線クランプ（１）のスリーブ（４）に対してある距離から矢印方向にハンマーで慣性打撃を与え張力を解除する。
【符号の説明】
【０００９】１    支線クランプ
２    ハンマー
３    着脱可能ハンマー
４    支線クランプのスリーブ
５    ハンマー
６    着脱可能ハンマーの外筒
７    着脱可能ハンマーの内筒
２０  支柱昇降機
２１  支柱
２２  支線
２３  クランプ固定具
２４  支線くい
【図１】
0003184494.tif 000003
【図２】
0003184494.tif 000004
【図３】
0003184494.tif 000005
【図４】
0003184494.tif 000006
【図５】
0003184494.tif 000007
【図６】
0003184494.tif 000008
【図７】
0003184494.tif 000009
【図８】
0003184494.tif 000010
【図９】
0003184494.tif 000011
【手続補正書】
【提出日】平成25年4月2日(2013.4.2)
【手続補正１】
【補正対象書類名】実用新案登録請求の範囲
【補正対象項目名】全文
【補正方法】変更
【補正の内容】
【実用新案登録請求の範囲】
【請求項１】
複数本の中空円柱を互に嵌合しリフト昇降機で上昇させ真直になるように設置するためには、中空円柱を中心とした周りの地面に打ち込まれた複数本の杭に支線クランプ（１）を掛止し支線クランプ（１）と中空円柱に掛止された支線（２２）を支線クランプのスリーブ（４）の中を通し支線を引き張力を与えスリーブで張力を保持しているが、撤去の時張力が強いためスリーブを引いて張力解除するのが困難であり本考案は、支線クランプのスリーブの右側に、支線を中心にしたハンマー（２）を通しそのハンマーで支線クランプのスリーブに打撃を与えて張力を解除することができる支線クランプとハンマーを組み合わせたことを特徴とする、支線クランプユニット。
【請求項２】
請求項１のハンマー（２）を着脱可能なハンマー（３）にしたことを特徴とする請求項１の支線クランプユニット。
(57)【要約】      （修正有）【課題】ブラシを洗浄した後に  ブラシの毛を損傷することなく乾燥させるためブラシの毛先を下にして  ブラシ部分を空中に保持することを特徴としたブラシ用架台を提供する。【解決手段】複数の脚部と、中央に穴を有する天板とからなることを特徴とするブラシ用架台であって、洗顔、洗体ブラシ、ヘアブラシを洗浄後、ブラシの毛の方向を重力の方向である下向きにし、架台によりブラシの毛の部分を空中に保持する。これにより、ブラシの毛に力がかからず、植毛穴に水もたまらない。ブラシのまわりの風通しがよくなり  乾燥が速くなる。【選択図】図１
0003184498.tif 000002
【実用新案登録請求の範囲】
【請求項１】
ブラシを洗浄した後に  ブラシの毛を損傷することなく乾燥させるためブラシの毛先を下にして  ブラシ部分を空中に保持することを特徴としたブラシ用架台。
【考案の詳細な説明】
【技術分野】
【０００１】本考案は顔や体を洗うためのブラシや  ヘアブラシを乾燥させるための架台に関するものである。
【背景技術】
【０００２】従来の洗顔、洗体ブラシ、ヘアブラシは洗浄後  ひもで壁面につるしたり、ブラシ部分を上向きに置いて乾燥させていた。
【考案の開示】
【考案が解決しようとする課題】
【０００３】従来の洗顔、洗体ブラシ、ヘアブラシは洗浄後  ひもでつるし乾燥させようとすればブラシの毛が水分を保持しているので  その重さでブラシの毛が重力方向に曲がってしまい、ブラシの毛を傷めて再使用を困難にする。またブラシの毛先を上向きに置いて乾燥させようとすれば  水分がブラシの植毛穴にたまり、乾燥を困難とするとともに雑菌、カビが繁殖しやすい不衛生な環境をつくりだしてしまう。ブラシの毛を下にして乾燥させようとすれば  ブラシの自重でブラシの毛が曲がって  再使用できなくなる。
【課題を解決するための手段】
【０００４】課題を解決するためには  洗顔、洗体ブラシ、ヘアブラシは洗浄後  ブラシの毛が含んだ水分の重力で曲がらないように乾燥させるために  ブラシの毛の方向と重力の方向を一致させる、また水分が植毛穴にたまらないように  植毛穴を下向きに保持する。
ブラシの毛にブラシの自重がかからないようにして毛が曲がらないようにするためにブラシ部を空中に保持する。
【考案の効果】
【０００５】［図１］のようにブラシの毛の方向と重力の方向が一致しているので  ブラシの毛には曲がるための力が働かないので損傷しない。ブラシの毛先が下で、植毛穴が上にあるので  植毛穴に水がたまることがない。  ブラシの毛の部分は空中に保持されているので  外部からの毛を曲げる力がかからない。ブラシの毛の部分は空中に保持されているので  風通しがよく  乾燥が速くなる。
【実施例】
【０００６】［図１］が本考案の使用例で、ブラシの毛先が下を向いているので、水は毛先に移動して  落ちる。また植毛穴には水がたまらないので  カビ、雑菌が繁殖しにくい。
ブラシ部は空中に保持されているので  他からの力が加わらず、ブラシの毛が損傷しない。風通しがよく  乾燥が速くなる。
【産業上の利用可能性】
【０００７】洗顔ブラシ、洗体ブラシ、ヘアブラシは本来の目的が  顔、体、髪の汚れを落とす物であり  使用することによりブラシ本体も汚れてしまい、当然洗浄する必要がある。
しかしブラシを損傷せず、上手に乾燥させるのはむずかしかったが  本考案のブラシを乾燥させるための架台を使用すれば  毛をいためることなく、早くブラシを乾燥させることができ  ブラシを衛生的に保つことができ  健康の増進がはかれる。
【図面の簡単な説明】
【０００８】
【図１】本考案の架台  および本考案の架台を使用したブラシ。
【図１】
0003184498.tif 000003
【手続補正書】
【提出日】平成25年2月20日(2013.2.20)
【手続補正１】
【補正対象書類名】実用新案登録請求の範囲
【補正対象項目名】全文
【補正方法】変更
【補正の内容】
【実用新案登録請求の範囲】
【請求項１】
ブラシ部分を空中に保持することを特徴としたブラシ用架台。
【手続補正書】
【提出日】平成25年4月3日(2013.4.3)
【手続補正１】
【補正対象書類名】実用新案登録請求の範囲
【補正対象項目名】全文
【補正方法】変更
【補正の内容】
【実用新案登録請求の範囲】
【請求項１】
複数の脚部と、中央に穴を有する天板とからなることを特徴とするブラシ用架台。
(57)【要約】      （修正有）【課題】立ったまま、作物と作物の間や、うねなどに植った草を取り省く作業ができ労働時間を短縮できる刈払機用草取り機具を提供する。【解決手段】鋼鉄製、楕円形の鉄板の中央に直径２．５ｃｍの円の穴を開け、鉄板の両端中央に直角に横幅１ｃｍ、たて幅６ｃｍの細長長方形鋼鉄製鉄板を溶接する。本機具を刈払機の先端に取りつけて作業する。【選択図】図４
0003184492.tif 000002
【実用新案登録請求の範囲】
【請求項１】
１．鋼鉄制の楕円形の鉄板の両端中央に、横幅１ｃｍ、たて幅６ｃｍの細長長方形した鋼鉄制鉄板を直角に溶接する。
２．鋼鉄制の楕円形の鉄板の中央に、直径２．５ｃｍの円の穴を開ける。
【考案の詳細な説明】
【図面の簡単な説明】
【図１】本案の平面図  符号の説明  ▲１▼は鋼鉄制の楕円形の鉄板。▲４▼は直径２．５ｃｍの円の穴を開ける
【図２】は本案の正面図  ▲２▼は鋼鉄制の楕円形の鉄板に鋼鉄制の細長長方形の鉄板を直角に溶接する。
【図３】本案の側面図  ▲３▼は細長長方形の鋼鉄制の鉄板、横幅１ｃｍ、たて幅６ｃｍ
【図４】本案の斜視図
【図５】は本案の刈払機に、取り付けた刈払機用草取り機具
【図１】
0003184492.tif 000003
【図２】
0003184492.tif 000004
【図３】
0003184492.tif 000005
【図４】
0003184492.tif 000006
【図５】
0003184492.tif 000007
【手続補正書】
【提出日】平成25年2月12日(2013.2.12)
【手続補正１】
【補正対象書類名】実用新案登録請求の範囲
【補正対象項目名】全文
【補正方法】変更
【補正の内容】
【実用新案登録請求の範囲】
【請求項１】
１．鋼鉄制の楕円形の鉄板の両端中央に、横幅１ｃｍ、たて幅６ｃｍの細長長方形の鋼鉄制鉄板を直角に溶接する。
２．鋼鉄制の楕円形の鉄板の中央に直径２．５ｃｍの円の穴
【手続補正２】
【補正対象書類名】明細書
【補正対象項目名】全文
【補正方法】変更
【補正の内容】
【考案の詳細な説明】
【０００１】第１図本案の平面図    符号の説明
▲１▼は鋼鉄制の楕円形の鉄板  ▲４▼は直径２．５ｃｍの円の穴
第２図は本案の正面図
▲２▼は鋼鉄の楕円形の鉄板に鋼鉄制の細長長方形の鉄板を直角に溶接する。
第３図は本案の側面図  ▲３▼は細長長方形の鋼鉄制の鉄板  横幅１ｃｍ、たて幅６ｃｍ
第４図は本案の斜視図  第５図は本案の刈払機に取付けた刈払機用草取り機具
【図面の簡単な説明】
【０００２】
【図１】本案の平面図
【図２】は本案の正面図
【図３】本案の側面図
【図４】本案の斜視図
【図５】は本案の刈払機に取り付けた刈払機用草取り機具
【符号の説明】
【０００３】１．鋼鉄制の楕円形の鉄板
２．鋼鉄制の楕円形の鉄板に鋼鉄制の細長長方形の鉄板を直角に溶接する。
３．細長長方形の鋼鉄制の鉄板、横幅１ｃｍ、たて幅６ｃｍ
４．直径２．５ｃｍの円の穴を開ける
【手続補正４】
【補正対象書類名】図面
【補正対象項目名】全図
【補正方法】変更
【補正の内容】
【図１】
0003184492.tif 000008
【図２】
0003184492.tif 000009
【図３】
0003184492.tif 000010
【図４】
0003184492.tif 000011
【図５】
0003184492.tif 000012
【手続補正書】
【提出日】平成25年4月6日(2013.4.6)
【手続補正１】
【補正対象書類名】実用新案登録請求の範囲
【補正対象項目名】全文
【補正方法】変更
【補正の内容】
【実用新案登録請求の範囲】
【請求項１】
鋼鉄制の楕円形の鉄板の両端中央に、横幅１ｃｍたて幅６ｃｍの細長長方形の鋼鉄制鉄板を直角に溶接し、前記鋼鉄制の楕円形の鉄板の中央に直径２．５ｃｍの円の穴を開けたことを特徴とする刈払機用草取り機具。
【手続補正２】
【補正対象書類名】明細書
【補正対象項目名】全文
【補正方法】変更
【補正の内容】
【考案の詳細な説明】
【技術分野】
【０００１】本考案は、刈払機に使用する草取り機具
【背景技術】従来のは、有か  無かははからないが、本考案は鋼鉄制のため強い
【考案の概要】
【考案が解決しようとする課題】
【０００３】従来は、人が腰を曲げ、１つ１つ草取鎌で草を取ってましたが草取り時間がかかりますし、重労働だし、労働時間を短縮し、軽労働にするため
【考案が解決するための手段】
【０００４】本考案は、刈払機に取付けて、立った作業ができ、労働時間短縮のため考案した
【考案の効果】
【０００５】本考案は、作物と作物の間、うねとうねの間を手作業で長時間労働かかていためめ時間の短縮し、軽作業するため
【考案を実施するための形態】
刈払機と同じ扱いで実施する
【図面の簡単な説明】
【０００７】
【図１】本案の平面図
【図２】は本案の正面図
【図３】本案の側面図
【図４】本案の斜視図
【図５】は本案の刈払機に、取り付けた刈払機用草取り機具
【符号の説明】
【０００８】１、鋼鉄制の楕円形の鉄板
２、鋼鉄制の楕円形の鉄板に鋼鉄制の細長長方形の鉄板を直角に溶接する。
３、細長長方形の鋼鉄制の鉄板、横幅１ｃｍ、たて幅６ｃｍ
４、直径２５ｃｍの円の穴を開ける
【手続補正３】
【補正対象書類名】図面
【補正対象項目名】全図
【補正方法】変更
【補正の内容】
【図１】
0003184492.tif 000013
【図２】
0003184492.tif 000014
【図３】
0003184492.tif 000015
【図４】
0003184492.tif 000016
【図５】
0003184492.tif 000017